(57)【要約】ディスプレイテーブル（１００）は、ディスプレイテーブル上の各プライバシーオーバーレイ（１２０）の位置及び向きを測定し、それに従ってプライベート情報のディスプレイを制御する、位置測定装置（３１０）を有する。望ましくは、オーバーレイ（１２０）は、携帯型シートであり、プレースマットと同種であり、ディスプレイ表面（１１０）の周囲に比較的任意に位置付けられ得る。
2008521048.tif 000002
【特許請求の範囲】
【請求項１】
装置であって：
ディスプレイと；
前記ディスプレイ上の位置において置かれる、少なくとも１つの携帯型プレースマットと；
前記ディスプレイ上の前記プレースマットの前記位置を測定するよう構成される、プレースマット検出器と；
前記ディスプレイを複数のディスプレイ範囲へと分割するよう構成される、ウィンドウコントローラと、
を有し、
前記複数のディスプレイ範囲は、前記ディスプレイ上の前記プレースマットの前記位置に対応するユーザ範囲を有する、
装置。
【請求項２】
前記プレースマットに関連付けられるプレーヤとの伝達を促進するよう、前記プレーヤ範囲に対して情報を選択的に送るよう構成されるアプリケーションコントローラ、を更に有する、
請求項１記載の装置。
【請求項３】
前記プレースマットは、前記ユーザ範囲において表示される情報の方向性のある可視性を与えるよう構成される、
請求項１記載の装置。
【請求項４】
前記プレースマットは、前記プレースマットの前記位置の測定を促進する１つ又はそれより多い共振回路を有する、
請求項３記載の装置。
【請求項５】
前記プレースマットは、前記プレースマットの前記位置の測定を促進する１つ又はそれより多い共振回路を有する、
請求項１記載の装置。
【請求項６】
前記プレースマットは、１つ又はそれより多いＲＦＩＤトランスミッタを有する、
請求項１記載の装置。
【請求項７】
前記プレースマット検出器は、前記ディスプレイ上の前記プレースマットの前記検出を促進する前記ディスプレイと一致する要素の層を有する、
請求項１記載の装置。
【請求項８】
前記ディスプレイ上の前記プレースマットの前記検出を促進する、前記プレースマット検出器に対して作動可能に結合される、携帯型機器、を更に有する、
請求項１記載の装置。
【請求項９】
前記プレースマット検出器は、前記ディスプレイ上の前記プレースマットの前記検出を促進する前記ディスプレイの周辺において複数のセンサ要素を有する、
請求項１記載の装置。
【請求項１０】
前記プレースマット検出器は、前記ディスプレイ上の前記プレースマットの前記検出を促進する１つ又はそれより多い光学素子を有する、
請求項１記載の装置。
【請求項１１】
ディスプレイ表面にオーバーレイするプレースマットであって：
前記プレースマットの下方において画像のビューイングを可能にする範囲と、
前記ディスプレイ表面に対して前記プレースマットの位置の検出を促進する、１つ又はそれより位置決め要素と、
を有する、
プレースマット。
【請求項１２】
前記１つ又はそれより多い位置決め要素は、共振回路を有する、
請求項１１記載のプレースマット。
【請求項１３】
前記１つ又はそれより多い位置決め要素は、ＲＦＩＤ機器を有する、
請求項１１記載のプレースマット。
【請求項１４】
前記１つ又はそれより多い位置決め要素は、プレースマットの向きの測定を促進するよう、プレースマット上に配置される、
請求項１１記載のプレースマット。
【請求項１５】
前記プレースマットの下方の前記画像の方向性のある可視性を与える光学素子の層、を更に有する、
請求項１１記載のプレースマット。
【請求項１６】
前記１つ又はそれより多い位置決め要素は、共振回路を有する、
請求項１５記載のプレースマット。
【請求項１７】
前記１つ又はそれより多い位置決め要素は、ＲＦＩＤ機器である、
請求項１５記載のプレースマット。
【請求項１８】
前記１つ又はそれより多い位置決め要素は、前記光学素子の層の前記方向性のある可視性の向きの測定を促進するよう、前記プレースマット上に配置される、
請求項１５記載のプレースマット。
【請求項１９】
ディスプレイ表面上に画像を表示する方法であって：
前記ディスプレイ表面上でプレースマットの位置を測定する段階と、
前記プレースマットの前記位置に対応する前記ディスプレイ表面の範囲において前記画像を表示する段階と、
を有する、
方法。
【請求項２０】
前記ディスプレイ表面上の前記プレースマットの向きを測定する段階と、
前記プレースマットの前記向きに基づき前記画像を表示する段階と、
を更に有する、
請求項１９記載の方法。
【発明の詳細な説明】
【技術分野】
【０００１】
本発明は、電子機器及びディスプレイ装置の分野に係り、特には、プレースマットに係る。該プレースマットは、プレースマットを介してディスプレイの一部のプライベートビューイング（ｐｒｉｖａｔｅ  ｖｉｅｗｉｎｇ）を与えるインタラクティブディスプレイ上での使用に対するものである。
【背景技術】
【０００２】
本願中に参照される、２００３年１月７日発行、米国特許第６，５０４，６４９号明細書、「ＰＲＩＶＡＣＹ  ＳＣＲＥＥＮＳ  ＡＮＤ  ＳＴＥＲＥＯＳＣＯＰＩＣ  ＥＦＦＥＣＴＳ  ＤＥＶＩＣＥＳ  ＵＴＩＬＩＺＩＮＧ  ＭＩＣＲＯＰＲＩＳＭ  ＳＨＥＥＴＳ」（特許文献１）は、プライバシー画面を開示し、該プライバシー画面は、ディスプレイ装置からの光が所定の方向において進むことを防ぎ、それによってその方向からのディスプレイ上の画像のビューイングを防ぐ。かかるプライバシー画面の適用の一例は、２人のプレーヤで遊ぶゲームにおける使用であり、ディスプレイ画面の各側のプライベート（内密）な情報は、ディスプレイ画面の他方の側の人物のビュー（視野）から遮断される。このようにして、各プレーヤにとってプライベートである情報は、他方のプレーヤのビューからは避けられる。
【０００３】
本願中に参照される、２００２年１１月７日発行、米国公開出願番号２００２／０１６３７２８、「ＯＰＴＩＣＡＬ  ＳＨＥＥＴＳ  ＯＲ  ＯＶＥＲＬＡＹＳ」（特許文献２）は、複数の方向からのビューイングを遮断するよう構成され得る、同様のプライバシーシートを与える。
【０００４】
２０００年８月２９日発行、日本国特開２０００−２３５４４３号、「ＥＬＥＣＴＲＯＮＩＣ  ＣＯＮＦＥＲＥＮＣＩＮＧ  ＤＥＶＩＣＥ，  ＡＮＤ  ＩＴＳ  ＣＯＮＴＲＯＬ  ＭＥＴＨＯＤ  ＡＮＤ  ＳＴＯＲＡＧＥ  ＭＥＤＩＵＭ」（特許文献３）は、ディスプレイテーブルを教示する。該ディスプレイテーブルは、個人がテーブルの周囲に着席している位置を検出し、検出された位置において、個人による容易なビューイングに対して適切に方向付けられて、各個人に対して情報を表示する。テーブルはまた、各ユーザが電子ペンを介してディスプレイテーブルと相互交流し得るよう、座標測定（ｃｏｏｒｄｉｎａｔｅ  ｄｅｔｅｒｍｉｎａｔｉｏｎ）手段を有する。
【特許文献１】米国特許第６，５０４，６４９号明細書
【特許文献２】米国公開出願番号２００２／０１６３７２８
【特許文献３】特開２０００−２３５４４３号
【発明の開示】
【発明が解決しようとする課題】
【０００５】
本発明は、プライバシーオーバーレイの使用をディスプレイテーブルと一体にする、ことを目的とする。更に本発明は、使用が容易であり且つ設定が容易である複数人数ゲームボード（ｇａｍｉｎｇ  ｂｏａｒｄ）を与える、ことを目的とする。
【課題を解決するための手段】
【０００６】
かかる目的及び他の目的は、ディスプレイテーブル上の各プライバシーオーバーレイの位置及び向きを測定する位置確定装置を有し、それに応じてプライベート情報の表示を制御する、ディスプレイテーブルによって達成される。望ましくはオーバーレイは、プレースマットに類似する、携帯型のシートであり、ディスプレイ表面の周囲に比較的任意に位置付けられ得る。
【発明を実施するための最良の形態】
【０００７】
本発明は、一例として添付の図面を参照して更に詳細に説明される。
【０００８】
図面を通して、同一の参照符号は、同一の要素、又は実質的に同一の機能を実行する要素を示す。図面は、例証を目的とするものであり、本発明の範囲を制限するよう意図されない。
【０００９】
図１は、ディスプレイ１１０及び典型的なプレースマット１２０を有する一例としてのディスプレイテーブル１００を示す。各プレースマット１２０は、プライベートビューイング方向１２２を有し、プレースマット１２０の下方のディスプレイ１１０上に表示される情報は、方向１２２に対向する方向からのビューから見えなくされる。ディスプレイ１１０はまた、テーブル１００における全てのビューアーによる自由なビューイングを可能にする１つ又はそれより多い範囲１３０を有し得る。
【００１０】
図２は、オーバーレイ１２０を介してディスプレイ１１０に対して方向性のある可視性を与える技術の一例を示す。オーバーレイ１２０は、ディスプレイ１１０からの光ビーム２２１，２２２の伝搬に影響を与える光学素子のシートを有し、例えば特許文献１及び特許文献２中に教示される通りである。オーバーレイ１２０は、ディスプレイ１１０から光ビーム２２２の伝搬を防ぐ光学ブロック要素２５０と、方向２２６において光ビーム２２１を偏向させる表面２４０とを有する。望ましい方向においてディスプレイから光を放射し、また、ディスプレイ上のオーバーレイシートを介して他の方向において放射するディスプレイからの光を防ぐ他の手段はまた、本発明において使用され得る。
【００１１】
本発明によれば、図１中のディスプレイテーブル１００は、各プレースマットの位置を検出する位置測定装置（図３中の参照符号３１０）を有する。かかる位置測定装置は、ディスプレイ１１０の下方の層２３０におけるセンサ、又はＲＦ、ＩＲ等である他のセンサ、あるいはディスプレイ１１０の周辺において取り付けられる他のセンサ、ディスプレイ１１０の表面上に位置決めされるセンサ、又は他の位置測定センサを有し得る。当業者は、ディスプレイ１１０上のプレースマット１２０の位置を検出する、これらの及び他の手段を認識する。例えば、プレースマット１２０は、ディスプレイ１１０において行及び列の起動信号を検出するオブジェクト１２５を有し得、また、信号が検出される時間と行及び列の起動信号が適用される時間との間の相互関係は、プレースマット上のセンサの位置を測定するよう使用され得る。あるいは、プレースマット１２０上のオブジェクト１２５は、層２３０又はディスプレイ１１０の他の位置においてセンサに信号を送るトランスミッタであり得る。例えば、層２３０は、プレースマット１２０における電磁コイルからの電流を検出するよう構成されるワイヤのグリッド、又は、プレースマット１２における静電板からの電圧を検出するよう構成される表面伝導体のグリッドを有する、従来の離散化タブレットに対応し得る。
【００１２】
顕著である通り、本願中に参照される、１９９１年７月２日発行、米国特許第５，０２８，７４５号明細書、「ＰＯＳＩＴＩＯＮ  ＤＥＴＥＣＴＩＮＧ  ＡＰＰＡＲＡＴＵＳ」は、導体のグリッドを開示する。該導体のグリッドは、共振回路に信号を送り、続いて、グリッドに対する共振回路の位置を測定するよう、共振回路からグリッドに反射される振動を検出する。同様にして、本願中に参照される、２００１年５月２９日発行、米国特許第６，２３９，７２９号明細書、「ＰＯＳＩＴＩＯＮ  ＤＥＴＥＣＴＩＮＧ  ＭＥＴＨＯＤ  ＡＮＤ  ＡＰＰＡＲＡＴＵＳ  ＦＯＲ  ＤＥＴＥＣＴＩＮＧ  Ａ  ＰＬＵＲＡＬＩＴＹ  ＯＦ  ＰＯＳＩＴＩＯＮ  ＩＮＤＩＣＡＴＯＲＳ」は、複数の共振回路を検出する技術を開示する。故に、共振回路をオブジェクト１２５として実施することによって、プレースマット１２０の位置は、上述の特許において開示される通り従来の手段を使用して測定され得る。
【００１３】
同様にして、プレースマット１２０におけるオブジェクト１２５は、ＲＦＩＤトランスミッタであり得る。該ＲＦＩＤトランスミッタは、ディスプレイテーブル１００における位置測定装置によって制御されるトランスミッタから信号をトリガすることに応じ、位置測定装置のレシーバにおけるＲＦＩＤトランスミッタからの応答の到着及び／又は規模の時間は、オブジェクト１２５におけるＲＦＩＤトランスミッタの位置を測定するよう使用され得る。
【００１４】
更に他の実施例では、オブジェクト１２５は、単なる基準マーカーであり、前述の電磁コイル、静電板、ＲＦＩＤトランスミッタ、又は他の位置識別構成部品は、プレースマット１２０外部であるスタイラス又はパック等である携帯型機器であり得、プレースマット１２０上の基準マーカーにおいて置かれる際に位置測定信号を送るよう使用され得る。
【００１５】
プレースマット１２０上のオブジェクト１２５は、容易に理解されるようにプレースマット１２０上の固定された位置において１つ又はそれより多い個別の要素として示されるが、当業者は、ディスプレイ１１０に対するプレースマット１２０の位置及び向きを測定する役割を果たす方法又は装置が本発明における使用に対して適切である、ことを理解する。例えば、光学系は、ディスプレイ１１０の上方に位置付けられるカメラ等を使用して、各プレースマット１２０の位置を測定するよう使用され得る。あるいは、ディスプレイの周辺において対向する光学トランスミッタ−検出器の組は、各プレースマット１２０の範囲を測定するよう使用され得る。同様に、上述された位置測定スタイラスは、各プレースマット１２０の輪郭をトレースするよう使用され得る。
【００１６】
図３は、本発明に従ったディスプレイ装置の典型的なブロック図を示す。ディスプレイ装置は、ディスプレイ１１０上で各プレースマット１２０の位置を測定するよう構成されるプレースマット検出器３１０を有する。意図されるプライバシーを与えるよう、位置の測定は、プレースマット３１０の向きの測定を有する。
【００１７】
望ましい一実施例では、位置識別アイテムは、向き識別特性を有する。例えば、該アイテムがＲＦＩＤトランスミッタである場合、プレースマット上の異なる位置における２つのＲＦＩＤトランスミッタは、異なる所定の識別子を送るよう構成され得、該識別子は、相対的向きを認識する役割を果たす。即ち、一方の識別子は、プレースマット１２０の上方左上に置かれるアイテムに対応し得、他方の識別子は、プレースマット１２０の下方右側に置かれるアイテムに対応し得る。あるいは、向きは、例えばディスプレイ１１０の最も近い端部に向かって、想定デフォルト値を有し得る。同様に、別個のユーザインタフェースは、各プレースマットの向きを識別するようユーザに対して与えられ得る。プレースマットの向きを測定する他の技術は、本願を考慮する当業者には明らかである。
【００１８】
プレースマット検出器３１０は、各プレースマット１２０に対応してディスプレイ１１０における範囲を作り出すよう、並びに、各プレースマット１２０の向きに対応する各範囲のビューイング向きを設定するよう構成されるウィンドウコントローラ３２０に対して、プレースマット１２０の位置を伝える。
【００１９】
ゲームコントローラ等であるアプリケーションコントローラ３５０は、ウィンドウコントローラ３２０と相互に作用し、コントローラ３２０によって作られた異なるウィンドウに対して異なるユーザインタフェース出力ポートを割り当てるようにする。ＲＦＩＤトランスミッタをプレースマット１２０上で用いる望ましい一実施例では、一意的な識別信号は、各プレースマット１２０に対して割り当てられ、プレースマット検出器３１０は、アプリケーションコントローラ３５０に対してかかる識別子を伝える。ゲーム環境においては、例えば、プレースマット１２０は、色分けされたトリムを有し得、コントローラは、対応するウィンドウを赤色のプレーヤ、青色のプレーヤ等に対して割り当てる。その後、赤色のプレーヤに対して向けられたメッセージは、赤色にトリムされたプレースマットに対応するウィンドウに伝えられる。あるいは、ユーザインタフェースは、各プレースマットに対してプレーヤ識別を割り当てるよう、コントローラ３５０によって与えられ、対応するプレースマットの下方のディスプレイ範囲を介して各プレーヤにメッセージを送る。
【００２０】
入力検出器３４０はまた、ユーザがアプリケーションコントローラ３５０と相互に作用し得るよう与えられる。また、この同一の検出器３４０は望ましくは、プレースマット１２０の位置／向きの測定、プライベートディスプレイ範囲に対する各プレースマット１２０のマッピング等を促進するよう、上述されたユーザインタフェースに対して使用される。
【００２１】
詳述される通り、本発明のディスプレイ装置の各ユーザは、プレースマット１２０を与えられる。ユーザが自身のプレースマット１２０をディスプレイ１１０上へと位置付ける際、プレースマット検出器３１０は、任意により入力検出器３４０を介してユーザが与える補助的情報を使用して、プレースマット１２０の位置及び向きを検出する。プレースマット検出器３１０は、ウィンドウコントローラ３２０に各プレースマット１２０の位置／向きに関する情報を与え、ウィンドウコントローラ３２０は、各ユーザに対して各プレースマット１２０の下方の範囲を配置する。アプリケーションコントローラ３５０は、その後、各ユーザに対して意図された情報をユーザのプレースマット１２０の下方のディスプレイにおける範囲に方向付ける。プレースマット１２０がプレースマット１２０の下方の範囲からの光の方向性ビューイングを与えるため、各ユーザは、ユーザのプレースマット１２０に対して方向付けられた材料のプライベートビューイングを与えられる。
【００２２】
前述は単に、本発明の原理を示すものである。故に、当業者は、本願中に明らかに記載又は図示されていないが、本発明の原理を実施し、その趣旨及び範囲内である多種の配置を工夫することができる、ことは十分理解される。例えば、本発明はプライベートな情報を示すよう方向性のある可視性を有するプレースマットを提示するが、本発明の原理は、プレースマットの特徴にかかわらず、また与えられる情報の種類にかかわらず、適用され得る。各プレースマットは、例えばプレースマットの特定のユーザ／オーナーを識別するＲＦＩＤ機器を有し得る。ユーザが自身のプレースマットをディスプレイテーブル上に億歳、装置は、ユーザを認識し、ユーザがディスプレイテーブルに対してどこに位置付けられているかを認識する。その後、ユーザに対して意図される情報は、ユーザの位置においてディスプレイ上に示され得、ディスプレイ装置がインタラクティブである際は、ユーザの位置から到着する入力は、識別されたユーザに対して属される。同様に、各プレースマットがどこに位置決めされるか、並びに、どのように向けられているかを単に知ることによって、装置は、表示される情報をプライベートにしておく必要性の有無にかかわらず、対応する範囲及び適切な向きにおいて情報を表示し得る。これらの及び他の装置構造及び最適化特徴は、本願を考慮する当業者には明らかであり、添付の請求項の範囲内に有される。
【００２３】
かかる請求項の解釈にあたり、以下の点が理解されるべきである：  
ａ）  「有する」という語は、所定の請求項中に列記される要素又は作用以外の要素及び作用の存在を除外するものではない。
ｂ）  単数形で示される要素は、かかる要素の複数の存在を除外するものではない。
ｃ）  請求項中の参照符号は、その範囲を制限するものではない。
ｄ）  複数の「手段」は、同一のアイテム又はハードウェア又はソフトウェアが行う構造又は機能によって示され得る。
ｅ）  開示される要素の各々は、ハードウェア部分（例えば、別個及び一体の電子回路を有する）、ソフトウェア部分（例えば、コンピュータプログラム）、及びそれらの組合せを有し得る。  
ｆ）  ハードウェア部分は、アナログ部分及びデジタル部分の一方又は両方を有し得る。
ｇ）  開示される機器又はその部分は、特記されない限り、更なる部分と合わせられ得るか、あるいは一体にされ得る。
ｈ）  特定の一連の作用は、特記されない限り、求められるよう意図されない。
ｉ）  複数形で示される要素は、２つ又はそれより多い当該要素を有し、要素の特定の範囲の数を示唆しない。即ち、複数の要素は、わずか２つの要素でもあり得る。
【図面の簡単な説明】
【００２４】
【図１】本発明に従った典型的なプレースマットを有する一例としてのディスプレイテーブルを図示する。
【図２】本発明に従った典型的なプレースマット及びディスプレイを図示する。
【図３】本発明に従ったインタラクティブディスプレイテーブルの典型的なブロック図ある。
【図１】
2008521048.tif 000003
【図２】
2008521048.tif 000004
【図３】
2008521048.tif 000005
【国際調査報告】
2008521048.tif 000006
2008521048.tif 000007
2008521048.tif 000008